(57)【要約】【課題】１つの型で様々な大きさの物品を収容可能な内設ボード及びこの内設ボードを備えた包装箱を提供する。【解決手段】本発明は、物品Ｍを載置させる設置ボード７と、設置ボード７の上面に物品Ｍを固定する押えフィルム８とを備え、設置ボード７には、互いに対向する端縁に沿って設置ボード７と押えフィルム８との貼着部１０が設けられ、貼着部１０，１０同士の間に物品Ｍの収納部Ｒが形成され、前記対向する端縁間の貼着部１０よりも内側には、貼着部１０を含む設置ボード７の端部を下面２３ｂ側に折り曲げ可能な第１の折り曲げ線１２と、第１の折り曲げ線１２よりも前記端縁側で貼着部１０を含んで第１の折り曲げ線１２側に折り返される外端部１７を形成可能な第２の折り曲げ線１４とを有する内設ボード３に関する。【選択図】図７
2020040714.tif 000002
【特許請求の範囲】
【請求項１】
物品を載置させる設置ボードと、この設置ボードの上面に前記物品を固定する押えフィルムとを備え、
前記設置ボードには、互いに対向する端縁に沿って前記設置ボードと押えフィルムとの貼着部が設けられ、前記貼着部同士の間に物品の収納部が形成され、
前記対向する端縁間の前記貼着部よりも内側には、前記貼着部を含む前記設置ボードの端部を下面側に折り曲げ可能な第１の折り曲げ線と、前記第１の折り曲げ線よりも前記端縁側で前記貼着部を含んで前記第１の折り曲げ線側に折り返される外端部を形成可能な第２の折り曲げ線とを有する内設ボード。
【請求項２】
前記端部の前記第２の折り曲げ線よりも前記第１の折り曲げ線側は、前記第１の折り曲げ線に沿って延びる内端部であり、
前記内端部は、前記第１の折り曲げ線の延在方向の中間部で前記第２の折り曲げ線を超えて前記端縁側に延びたタブ部を有し、
前記外端部は、前記タブ部を間に挟んで前記第１の折り曲げ線の延在方向の両側に連接し、
前記外端部と前記タブ部との間には破断線が形成され、前記破断線において前記外端部と前記タブ部とが分離可能である請求項１に記載の内設ボード。
【請求項３】
前記破断線が、前記端縁に向かって徐々にすぼむ直線状に形成されている請求項２に記載の内設ボード。
【請求項４】
前記破断線には、タブの内側に向かって切り込みが設けられている請求項２又は３に記載の内設ボード。
【請求項５】
前記タブ部の先端縁が、前記端縁から突出し又は前記端縁からくぼむように形成されている請求項２から４のいずれか一項に記載の内設ボード。
【請求項６】
請求項１から５のいずれか一項に記載の内設ボードと、
この内設ボードを内部に配置可能な外箱とを備えた包装箱。
【発明の詳細な説明】
【技術分野】
【０００１】
本発明は、内設ボード及び包装箱に関する。
【背景技術】
【０００２】
物品を運送する際に、物品が包装箱内で移動して損壊等することを防止するための内設用の部材として、ベースボードに押えシートを貼着した内設ボードが広く知られている。
上記のような内設ボードの一例として、ベースボードと伸張性のあるフィルムとを有し、フィルムの互いに対向する端縁をベースボードの上面に貼着させ、上面とフィルムとの間に物品を挿入可能な収納部が設けられているものがある。
【０００３】
このような内設ボードは、ベースボードとフィルムとの開口端から物品を収納部に挿入し、フィルムを貼着させたベースボードの両端部を、フィルムと共に外側に折り曲げてフィルムを引っ張る。このフィルムの張りで物品をベースボードに押し付け、物品が収納部内で移動することを防止している。
【先行技術文献】
【特許文献】
【０００４】
【特許文献１】特開２０１６−６４８６０号公報
【発明の概要】
【発明が解決しようとする課題】
【０００５】
しかし、これまで知られている内設ボードは、フィルムの張りで物品をベースボードに押し付けているため、フィルムがベースボードに貼着される位置とフィルムの引張伸び率から、適切に収納できる物品の大きさが限定されるという問題があった。
そこで、本発明は、１つの型で様々な大きさの物品を収容可能な内設ボード及びこの内設ボードを備えた包装箱を提供する。
【課題を解決するための手段】
【０００６】
本発明の内設ボードは、物品を載置させる設置ボードと、この設置ボードの上面に前記物品を固定する押えフィルムとを備え、前記設置ボードには、互いに対向する端縁に沿って前記設置ボードと押えフィルムとの貼着部が設けられ、前記貼着部同士の間に物品の収納部が形成され、前記対向する端縁間の前記貼着部よりも内側には、前記貼着部を含む前記設置ボードの端部を下面側に折り曲げ可能な第１の折り曲げ線と、前記第１の折り曲げ線よりも前記端縁側で前記貼着部を含んで前記第１の折り曲げ線側に折り返される外端部を形成可能な第２の折り曲げ線とを有する。
本発明は、第２の折り曲げ線を有していることにより、第１の折り曲げ線で設置ボードの端部を折り曲げる際の貼着部間の押えフィルムの長さを変更することができる。
【０００７】
本発明の内設ボードの前記端部の前記第２の折り曲げ線よりも前記第１の折り曲げ線側は、前記第１の折り曲げ線に沿って延びる内端部であり、前記内端部は、前記第１の折り曲げ線の延在方向の中間部で前記第２の折り曲げ線を超えて前記端縁側に延びたタブ部を有し、前記外端部は、前記タブ部を間に挟んで前記第１の折り曲げ線の延在方向の両側に連接し、前記外端部と前記タブ部との間には破断線が形成され、前記破断線において前記外端部と前記タブ部とが分離可能であってもよい。
この構成によれば、外端部を折り曲げた状態でタブ部を把持して端部全体を設置ボードの下面側に折り返し易くすることができる。
【０００８】
本発明の内設ボードの前記破断線は、前記端縁に向かって徐々にすぼむ直線状に形成されていてもよい。
この構成によれば、タブ部と外端部とを破断し易くすることができる。
【０００９】
本発明の内設ボードの前記破断線には、タブの内側に向かって切り込みが設けられていてもよい。
この構成によれば、破断線が不用意に破断することを防止することができる。
【００１０】
本発明の内設ボードの前記タブ部の先端縁が、前記端縁から突出し又は前記端縁からくぼむように形成されていてもよい。
この構成によれば、タブ部の位置が分かり易く、タブ部と外端部とを容易に破断することができる。
【００１１】
本発明の包装箱は、前記いずれかに記載の内設ボードと、この内設ボードを内部に配置可能な外箱とを備えている。
この構成によれば、前記いずれかの作用又は機能を奏することができる。
【発明の効果】
【００１２】
本発明の内設ボード及び包装箱は、１つの型で様々な大きさの物品を適切に保持しつつ収容することができるという効果を奏する。
【図面の簡単な説明】
【００１３】
【図１】本発明の一実施形態に係る包装箱を示した上面斜視図である。
【図２】本発明の一実施形態に係る内設ボードを示した平面図である。
【図３】本発明の一実施形態に係る内設ボードの使用状態を示した平面図である。
【図４】図３に示す内設ボードをＡ−Ａ線で矢視した断面図である。
【図５】本発明の一実施形態に係る内設ボードの使用状態を示した斜視図である。
【図６】本発明の一実施形態に係る内設ボードの使用状態を示した底面図である。
【図７】図６に示す内設ボードをＢ−Ｂ線で矢視した断面図である。
【図８】本発明の一実施形態に係る内設ボードの他の例を示した平面図である。
【発明を実施するための形態】
【００１４】
以下、図面を参照して、本発明の内設ボード及び包装箱の一実施形態について説明する。なお、以下の説明で用いる図の各部分の寸法は実際のものと同一とは限らず、適宜変更することができる。
【００１５】
図１に示すように、本発明の一実施形態の包装箱１は、外箱２と、外箱２の内部に配置される内設ボード３とを備えている。
【００１６】
外箱２は、矩形の底面部２ａ及び底面部２ａを取り囲む４辺から立ち上がる側面部２ｂと、側面部２ｂの一つの上端縁に連接して上端側開口部４を塞ぐ蓋部５とを有している。なお、蓋部５は、底面部２ａ及び４面の側面部２ｂからなり上方に開口した容器状部材に挿通させて上端側開口部４を閉じる角筒状のスリーブにより形成されていてもよい。
【００１７】
図２に示すように、内設ボード３は、設置ボード７と、可撓性及び伸張性を有する押えフィルム８とを備えている。
設置ボード７は、梱包対象となる物品（以下単に「物品」という）を載置させる偏平な板部材であり、特に限定されないが、撓ませることが可能な程度に剛性がある紙製又は合成樹脂製等の素材により形成されている。
【００１８】
設置ボード７は、略矩形の板部材の４隅を略Ｌ字に切り欠いた形状になっている。
設置ボード７の長手方向（即ち、矢印Ｘ方向、以下同様）に延びる互いに対向する端縁７ａの近傍には、押えフィルム８の端部を貼り付ける貼着部１０が設けられている。短手方向（即ち、矢印Ｙ方向、以下同様）に対向する端縁７ａのそれぞれの近傍に設けられた貼着部１０，１０同士の間には、物品を載置できる十分なスペースが確保されている。
貼着部１０は、端縁７ａを長手方向に三分した両端側に設けられている。具体的には、長手方向の両端に位置する貼着部１０が略同じ長さ寸法で、長手方向の貼着部１０，１０間（中間部）が貼着部１０よりもやや幅狭になるように設定されている。
【００１９】
互いに対向する端縁７ａ，７ａ間の貼着部１０よりも内側（短手方向の中央寄り）には、貼着部１０を含む設置ボード７の端部（以下「折り曲げ端部」という）１１を図４に示す下面２３ｂ側に折り返す第１の折り曲げ線１２が形成されている。
第１の折り曲げ線１２は、本実施形態では、矩形の４隅を略Ｌ字に切り欠いた結果残った長手方向両端の略矩形の角部１３の長手方向に沿う一辺１３ａを含んでほぼ直線状に延びている。
【００２０】
第１の折り曲げ線１２上には、間欠的にスリットＳが形成されている。各スリットＳの両端は、内側に僅かに折れ曲がっている。
第１の折り曲げ線１２と端縁７ａとの間には第１の折り曲げ線１２に平行な第２の折り曲げ線１４が設けられている。第２の折り曲げ線１４は、第１の折り曲げ線１２に略平行な矩形の角部１３の端縁１３ｂから連続して長手方向の中央に向かって貼着部１０が形成された領域の長さと略同じ寸法分延びている。
【００２１】
第２の折り曲げ線１４の互いに対向する端点Ｐ，Ｐからは、それぞれ端縁７ａに向かって徐々に近づく方向に傾斜しつつ延びる破断線１５が形成されている。
長手方向に延びる端縁７ａは、破断線１５，１５間で、指を掛けやすい長さ程度、外方に突出している。具体的には、端縁７ａは、破断線１５との交点から各破断線１５の延長線方向に延び、その後第１の折り曲げ線１２に平行に延びている。
【００２２】
その結果、第１の折り曲げ線１２と、第２の折り曲げ線１４と、破断線１５，１５と、破断線１５，１５に挟まれた端縁７ａに囲まれた部分が、一部端縁７ａ側に延出しているタブ部１６ａとなった内端部１６を構成している。なお、タブ部１６ａは、第２の折り曲げ線１４，１４間の延長線と、破断線１５，１５と、破断線１５，１５間に延びる端縁７ａ（先端縁）に囲まれた台形部分であり、端縁７ａのうちタブ部１６ａの先端縁となっている部分はその他の部分から突出した形状となっている。
【００２３】
第２の折り曲げ線１４と破断線１５と端縁７ａとに囲まれた貼着部１０を含む領域は、破断線１５によりタブ部１６ａと切り離された場合に、第２の折り曲げ線１４において谷折りにされて内端部１６に重なる外端部１７を構成している。
タブ部１６ａと外端部１７とを分けている破断線１５は、１箇所又は複数箇所（本実施形態では１箇所）でＶ字の切込み１８を形成しつつ、端縁７ａに達するまで延びている。Ｖ字の切込み１８の一部は、タブ部１６ａと外端部１７とのつなぎ目になっている。
【００２４】
設置ボード７の短手方向に延びる端縁７ｂ，７ｂ間の内側（すなわち長手方向の中央寄り）には、設置ボード７の短手方向に延びる端部１９を上面側に立ち上げ可能にする第３の折り曲げ線２０が形成されている。
第３の折り曲げ線２０は、概ね、外端部１７の長手方向の外側の端縁１７ａ，１７ａ間に延びている。具体的には、第３の折り曲げ線２０は、外端部１７の長手方向の外側の端縁１７ａ，１７ａよりも僅かに外側の位置からやや内側に向かって傾斜して延びている。
【００２５】
第３の折り曲げ線２０は、第１の折り曲げ線１２に達した後、第１の折り曲げ線１２，１２間で長手方向の外側に張り出すように「＜」又は「＞」の形状にわずかに屈曲している。第３の折り曲げ線２０上には、第３の折り曲げ線２０における折り曲げを容易にするミシン目が形成されている。なお、第３の折り曲げ線２０が屈曲していることは必須ではなく、第３の折り曲げ線２０は、直線状に形成されていてもよい。
【００２６】
設置ボード７の短手方向に延びる端部１９は、設置ボード７の上面側に立ち上げられる立ち上げ端部（以下「立ち上げ端部１９」という）を構成している。
第３の折り曲げ線２０と端縁７ｂとの間には、立ち上げ端部１９を折り畳んで立ち上げ寸法を変更する第４の折り曲げ線２１が形成されている。
【００２７】
第４の折り曲げ線２１は、角部１３の長手方向の外側に延びる端縁１３ｃと第１の折り曲げ線１２との交点１３ｐ又は交点１３ｐからごく僅かに外側にずれた位置同士の間をほぼ直線状に延びている。第４の折り曲げ線２１上には、間隔を空けて複数（本実施形態では２つ）長手方向の中央に向けて突出するコ字状のスリットＳが形成されている。第４の折り曲げ線２１のスリットＳ以外の部分には、ミシン目が形成されている。
【００２８】
第１の折り曲げ線１２と第３の折り曲げ線２０とに囲まれた略矩形の部分は、物品を載置する平坦な載置部２３を構成している。
押えフィルム８は、可撓性及び伸縮性のある合成樹脂製のフィルムであり、必須ではないが透明または半透明に形成されている。
【００２９】
押えフィルム８は、設置ボード７の長手方向には、第３の折り曲げ線２０，２０間に亘って又は第３の折り曲げ線２０，２０同士のごく内側間を覆い、短手方向には、貼着部１０，１０を含む端縁７ａ，７ａ間に亘って設置ボード７の上面を覆い得る大きさで形成されている。
【００３０】
この押えフィルム８は、載置部２３を含むように貼着部１０，１０間の上面を弛みなくかつ略テンションが掛からないように覆っており、押えフィルム８の４隅が設置ボード７に固定されるように貼着部１０において貼り合わされている。
載置部２３において押えフィルム８に覆われた短手方向に対向する貼着部１０，１０間は、物品の収納部Ｒを構成している。
【００３１】
次に、設置ボード７に物品を収納する方法及びその作用及び機能について説明する。
図２に示す設置ボード７の第１の折り曲げ線１２を上面視で谷折りにし、押えフィルム８を弛ませ、押えフィルム８の開放端から収納したい物品を収納部Ｒに収納する。
この場合、物品には嵩があるため、押えフィルム８が伸張しない場合、設置ボード７を撓ませないと物品を収納することができない。
【００３２】
しかし、押えフィルム８は可撓性及び伸張性を有しているため、物品の嵩が大き過ぎなければ、押えフィルム８が伸びることで載置部２３を撓ませず略平坦にした状態で物品を収納部Ｒに収容できる。
そして、物品を載置部２３にしっかりと押え付けて収納部Ｒ内で動き難いように収容するために、図３又は図４に示すように、第１の折り曲げ線１２において設置ボード７を折り曲げ、折り曲げ端部１１の全体を載置部２３の下面２３ｂに重ねる。
【００３３】
このように折り曲げ端部１１を載置部２３の下面２３ｂ側に折り畳むと、押えフィルム８が一層伸張して貼着部１０，１０間で十分なテンションが掛かり、物品Ｍが載置部２３に押し付けられながら収容される。
物品Ｍを収納部Ｒに収容したら、第３の折り曲げ線２０を折り曲げて立ち上げ端部１９を載置部２３に対して略直角に立ち上げ、載置部２３をちょうど収容できる大きさの図１に示す外箱２に収めて梱包を完了する。
【００３４】
物品Ｍの嵩が大きく、第１の折り曲げ線１２を折り曲げた際に押えフィルム８のテンションが強くなり過ぎて又は折り曲げ端部１１が折り返されない状態でそれ以上伸張できない場合は、図５に示すようにタブ部１６ａと外端部１７とを破断線１５で切り離す。その上で、折り曲げ端部１１を折り返そうとする。
【００３５】
そうすると、貼着部１０，１０間で押えフィルム８が引っ張られるため、外端部１７が図４に示す下面２３ｂ側に回らずに第２の折り曲げ線１４が設置ボード７の上面視で谷折りになり、外端部１７が内端部１６の上面に折り重なる。したがって、内端部１６と外端部１７とがＶ字に畳まれた状態で、図６及び図７に示すように折り曲げ端部１１を載置部２３の下面２３ｂ側に折り重ねる。
【００３６】
この場合、図７における仮想線で示すように、第２の折り曲げ線１４を折り曲げずに折り曲げ端部１１が折り畳まれた場合に比べて、貼着部１０，１０間の距離がＬ１の２倍分近くなる。すなわち、設置ボード７は、物品Ｍの嵩が大きい場合に、押えフィルム８の物品を覆う部分をＬ１の２倍分長くして使用することができる。したがって、内設ボード３は、設置ボード７から剥がれさせずにかつ載置部２３を略平坦に保ったまま押えフィルム８に適度なテンションを掛けて嵩の大きい物品Ｍを収納部Ｒに保持することが可能となる。
【００３７】
また、物品Ｍの大きさによっては、片方の折り曲げ端部１１のみ第２の折り曲げ線１４を谷折りにして外端部１７を内端部１６に重ねて折り曲げ、もう片方の折り曲げ端部１１は内端部１６と外端部１７とを同一面上に広げたまま折り返して物品を収納部Ｒに適切に収納することができる。
【００３８】
なお、第３の折り曲げ線２０及び第４の折り曲げ線２１間の寸法よりも物品Ｍの嵩が大きいものを収納部Ｒに収容した場合は、立ち上げ端部１９は、第４の折り曲げ線２１を折り曲げることなく立ち上げる。
【００３９】
以上のように、内設ボード３によれば、図２に示す折り曲げ端部１１の一方又は双方を第２の折り曲げ線１４で折り曲げ又は折り曲げないことで、収納部Ｒに収容する物品Ｍの嵩に応じて載置部２３の上面を覆う押えフィルム８の長さを変更することができる。したがって、押えフィルム８のテンションを調整することができる。したがって、内設ボード３は、一つの型で嵩の異なる物品Ｍを押えフィルム８によるテンションを適宜変えることで収納部Ｒに適切に保持することができるという効果を奏する。
【００４０】
また、内設ボード３は、タブ部１６ａを折り曲げ端部１１の長手方向の中央に設けているため、押えフィルム８の四隅を確実に設置ボード７に貼着させつつ、押えフィルム８のテンションを調整することができる。
また、内設ボード３は、外端部１７を内端部１６の上面側に折り重ねる場合であっても、タブ部１６ａを内端部１６と共に載置部２３の下面２３ｂに重ねることができるため、タブ部１６ａを把持して容易に折り返しを行うことができるという効果を奏する。
【００４１】
また、内設ボード３は、タブ部１６ａが端縁７ａに向かってすぼむ台形に形成されているため、端縁７ａの直近に設ける貼着部１０を可及的に大きく取ることができるとともに、破断線１５における分断を容易にすることができるという効果を奏する。
【００４２】
また、立ち上げ端部１９に第４の折り曲げ線２１が形成されているため、物品Ｍの嵩が低い場合に第４の折り曲げ線２１で折り曲げて高さの低い外箱２に収容できるという効果を奏する。又は、高さのある外箱２に内設ボード３を段積みして収容することができるという効果を奏する。
【００４３】
なお、上記の実施形態では、折り曲げ端部１１の内端部１６にタブ部１６ａを設けた形態を例示したが、タブ部１６ａは必須ではなく、図８に示すように、第２の折り曲げ線１４を折り曲げ端部１１の端縁１７ａ，１７ａ間で連続的に形成してもよい。この場合、端縁１７ａ，１７ａ間に亘って外端部１７が一続きで形成されるが、貼着部１０，１０間における押えフィルム８の距離を変更して押えフィルム８のテンションを調整することができるという点で上記実施形態と同様の作用及び効果を得ることができる。
【００４４】
また、内設ボード３の破断線１５には、タブ部１６ａの内側に向かってくぼむＶ字の切込み１８が形成されている。したがって、破断線１５に直線状に形成されたミシン目のみが形成された場合に比べて、不用意に分断してしまうことを防止することができるという効果を奏する。  
【００４５】
また、内設ボード３は、端縁７ａがタブ部１６ａに相当する箇所で突出しているため、ユーザーに対し把持部として知覚させやすいという効果を奏する。
なお、タブ部１６ａを形成している端縁７ａは、外端部１７の一部を形成している端縁７ａから第１の折り曲げ線１２側にくぼんでいてもよい。
【符号の説明】
【００４６】
１    包装箱
２    外箱
３    内設ボード
７    設置ボード
８    押えフィルム
７ａ  端縁
１０  貼着部
１１  端部
１２  第１の折り曲げ線
１４  第２の折り曲げ線
１５  破断線
１６  内端部
１６ａ  タブ部
１７  外端部
１８  切込み
Ｍ    物品
Ｒ    収納部
【図１】
2020040714.tif 000003
【図２】
2020040714.tif 000004
【図３】
2020040714.tif 000005
【図４】
2020040714.tif 000006
【図５】
2020040714.tif 000007
【図６】
2020040714.tif 000008
【図７】
2020040714.tif 000009
【図８】
2020040714.tif 000010